(57)【特許請求の範囲】
【請求項１】
画像形成のための給紙段を備える他の画像形成装置と通信媒体を介して通信可能な画像形成装置であって、
画像を入力する画像入力手段と、
前記画像入力手段による入力画像の画像サイズを算定する算定手段と、
前記他の画像形成装置の給紙段の情報を取得する取得手段と、
前記取得手段により取得した情報に基づき、前記他の画像形成装置の給紙段と、自装置が備える給紙段が共通に収容するシートサイズを判定する第１の判定手段と、
前記第１の判定手段により判定された共通シートサイズの中に、前記算定手段により算定した画像サイズに一致するものがあるか否かを判定する第２の判定手段と、
前記第２の判定手段による判定結果に基づき、前記他の画像形成装置及び自装置における、前記入力画像の画像形成を制御する制御手段と、
を有することを特徴とする画像形成装置。
【請求項２】
画像形成に関する情報を表示する表示手段を更に有し、
前記第２の判定手段により、前記共通シートサイズの中に、前記算定した画像サイズに一致するものがないと判定された場合、前記制御手段はその旨を表示するように前記表示手段を制御することを特徴とする請求項１に記載の画像形成装置。
【請求項３】
前記制御手段は、前記入力画像を出力するための他の共通シートサイズをさらに表示するように前記表示手段を制御し、前記他の共通シートサイズを選択する旨の操作入力に応じて、前記他の共通シートサイズのシートを用いて前記他の画像形成装置及び自装置における前記入力画像の画像形成を制御することを特徴とする請求項２に記載の画像形成装置。
【請求項４】
画像形成のための給紙段を備える他の画像形成装置と通信媒体を介して通信可能な画像形成装置の制御方法であって、
入力画像の画像サイズを算定する算定工程と、
前記他の画像形成装置の給紙段の情報を取得する取得工程と、
前記取得工程により取得した情報に基づき、前記他の画像形成装置の給紙段と、自装置が備える給紙段が共通に収容するシートサイズを判定する第１の判定工程と、
前記第１の判定工程により判定された共通シートサイズの中に、前記算定工程により算定した画像サイズに一致するものがあるか否かを判定する第２の判定工程と、
前記第２の判定工程による判定結果に基づき、前記他の画像形成装置及び自装置における、前記入力画像の画像形成を制御する制御工程と、
を有することを特徴とする制御方法。
【請求項５】
前記第２の判定工程により、前記共通シートサイズの中に、前記算定した画像サイズに一致するものがないと判定された場合、前記制御工程はその旨をディスプレイに表示するように制御することを特徴とする請求項４に記載の制御方法。
【請求項６】
前記制御工程は、前記入力画像を出力するための他の共通シートサイズをさらに表示し、前記他の共通シートサイズを選択する旨の操作入力に応じて、前記他の共通シートサイズのシートを用いて前記他の画像形成装置及び自装置における前記入力画像の画像形成を制御することを特徴とする請求項５に記載の制御方法。
【請求項７】
画像形成のための給紙段を備える他の画像形成装置と通信媒体を介して通信可能な画像形成装置を含む画像形成システムであって、
前記画像形成装置は、
画像を入力する画像入力手段と、
前記画像入力手段による入力画像の画像サイズを算定する算定手段と、
前記他の画像形成装置の給紙段の情報を取得する取得手段と、
前記取得手段により取得した情報に基づき、前記他の画像形成装置の給紙段と、自装置が備える給紙段が共通に収容するシートサイズを判定する第１の判定手段と、
前記第１の判定手段により判定された共通シートサイズの中に、前記算定手段により算定した画像サイズに一致するものがあるか否かを判定する第２の判定手段と、
前記第２の判定手段による判定結果に基づき、前記他の画像形成装置及び自装置における、前記入力画像の画像形成を制御する制御手段と、
を有することを特徴とする画像形成システム。
【請求項８】
前記画像形成装置は、画像形成に関する情報を表示する表示手段を更に有し、
前記第２の判定手段により、前記共通シートサイズの中に、前記算定した画像サイズに一致するものがないと判定された場合、前記制御手段はその旨を表示するように前記表示手段を制御することを特徴とする請求項７に記載の画像形成システム。
【請求項９】
前記制御手段は、前記入力画像を出力するための他の共通シートサイズをさらに表示するように前記表示手段を制御し、前記他の共通シートサイズを選択する旨の操作入力に応じて、前記他の共通シートサイズのシートを用いて前記他の画像形成装置及び自装置における前記入力画像の画像形成を制御することを特徴とする請求項８に記載の画像形成システム。
【発明の詳細な説明】
【０００１】
【発明の属する技術分野】
本発明は、入力画像の画像形成を行う画像形成装置、画像形成装置の制御方法、及び画像形成システムに関するものである。
【０００２】
【従来の技術】
近年、オフィス等におけるネットワークの普及に伴い、デジタル複写機やプリンタ等画像形成装置も、ネットワーク接続機能を備えたものが広く利用されてきている。また、この種の画像形成装置を用いてネットワーク経由でプリントやスキャンを行うことが可能な画像形成システムが普及してきている。
【０００３】
このような画像形成システムでは、ある装置で原稿をスキャンし、指定したネットワーク上のプリンタへスキャン画像を送信してプリントすることでコピー動作を行うリモートコピーや、複数のプリンタへスキャン画像を送信してコピーを行う重連コピーなどの動作が可能になっている。
【０００４】
また、デジタル複写機における動作モードの１つに、自動用紙選択モードと呼ばれる複写を行う最適用紙サイズを選択するための動作モードがある。自動用紙選択モードによるデジタル複写機の動作を簡単に説明する。まず、デジタル複写機が有する画像読み取り部において、オートフィーダまたはスキャナ部に設置された原稿サイズ検知センサが原稿サイズを検知する。そして検知された原稿サイズと複写倍率から画像サイズを決定する。さらに、デジタル複写機が有する複写用紙サイズから画像サイズに最も適した複写用紙サイズを選択することにより、最適用紙サイズが選択される。自動用紙選択モードを用いて最適用紙サイズを選択することにより、ユーザーによる用紙サイズの設定等を簡易的に行うことができる。
【０００５】
ここで、上述した画像形成システムが、自動用紙選択モードによる動作が可能なデジタル複写機（ローカルプリンタ）と、複数のプリンタ（リモートプリンタ）で構成されており、デジタル複写機で読み取った画像をネットワークに接続された複数のリモートプリンタで出力することにより、重連コピーを行うものとする。
【０００６】
従来、自動用紙モードで重連コピーを行う場合、ローカルプリンタが有する画像読み取り部において、検知された原稿サイズと複写倍率から画像サイズを決定し、ローカルプリンタが有する複写用紙サイズから画像サイズに最も適した複写用紙サイズを選択することにより、最適用紙サイズを決定していた。
【０００７】
【発明が解決しようとする課題】
しかしながら、指定した複数のリモートプリンタやローカルプリンタが適切なサイズの給紙カセットを有しているとは限らず、例えば、ローカルプリンタにはＡ４用紙があり、リモートプリンタにＡ４用紙がないシステムにおいて、Ａ４原稿を用いて重連コピーを開始すると、ローカルプリンタはプリントを開始できるが、リモートプリンタでは、最適用紙サイズであるＡ４の用紙がないために中断状態になるようになっていた。このため、自動用紙選択機能を達成できないのみでなく、トータルな出力時間も遅くなり、生産性の向上という重連コピーを行うことの利点が損なわれる問題があった。また、上述の中断状態を回避するためには、ローカル側のパネル等から操作してリモートプリンタの状態を調べた上で、重連モードを開始する等、煩雑な操作を要するという問題があった。
【０００８】
本発明は、上述の問題点を解決するためのものであり、取得した他の画像形成装置の給紙段の情報に基づき、他の画像形成装置の給紙段と自装置が備える給紙段が共通に収容するシートサイズを判定し、判定された共通シートサイズの中に、算定した入力画像の画像サイズに一致するものがあるか否かを判定し、判定結果に基づき他の画像形成装置及び自装置における入力画像の画像形成を制御することにより、生産性を低下させることなく重連コピー時の操作性、機能性を向上させた画像形成装置、画像形成装置の制御方法、画像形成システムを提供することを目的とする。
【０００９】
【課題を解決するための手段】
上記目的を達成するために、本発明の画像形成装置では、画像形成のための給紙段を備える他の画像形成装置と通信媒体を介して通信可能な画像形成装置であって、画像を入力する画像入力手段と、前記画像入力手段による入力画像の画像サイズを算定する算定手段と、前記他の画像形成装置の給紙段の情報を取得する取得手段と、前記取得手段により取得した情報に基づき、前記他の画像形成装置の給紙段と、自装置が備える給紙段が共通に収容するシートサイズを判定する第１の判定手段と、前記第１の判定手段により判定された共通シートサイズの中に、前記算定手段により算定した画像サイズに一致するものがあるか否かを判定する第２の判定手段と、前記第２の判定手段による判定結果に基づき、前記他の画像形成装置及び自装置における、前記入力画像の画像形成を制御する制御手段と、を有することを特徴とする。
【００１０】
また、本発明の画像形成装置の制御方法では、画像形成のための給紙段を備える他の画像形成装置と通信媒体を介して通信可能な画像形成装置の制御方法であって、入力画像の画像サイズを算定する算定工程と、前記他の画像形成装置の給紙段の情報を取得する取得工程と、前記取得工程により取得した情報に基づき、前記他の画像形成装置の給紙段と、自装置が備える給紙段が共通に収容するシートサイズを判定する第１の判定工程と、前記第１の判定工程により判定された共通シートサイズの中に、前記算定工程により算定した画像サイズに一致するものがあるか否かを判定する第２の判定工程と、前記第２の判定工程による判定結果に基づき、前記他の画像形成装置及び自装置における、前記入力画像の画像形成を制御する制御工程と、を有することを特徴とする。
【００１１】
また、本発明の画像形成システムでは、画像形成のための給紙段を備える他の画像形成装置と通信媒体を介して通信可能な画像形成装置を含む画像形成システムであって、前記画像形成装置は、画像を入力する画像入力手段と、前記画像入力手段による入力画像の画像サイズを算定する算定手段と、前記他の画像形成装置の給紙段の情報を取得する取得手段と、前記取得手段により取得した情報に基づき、前記他の画像形成装置の給紙段と、自装置が備える給紙段が共通に収容するシートサイズを判定する第１の判定手段と、前記第１の判定手段により判定された共通シートサイズの中に、前記算定手段により算定した画像サイズに一致するものがあるか否かを判定する第２の判定手段と、前記第２の判定手段による判定結果に基づき、前記他の画像形成装置及び自装置における、前記入力画像の画像形成を制御する制御手段と、を有することを特徴とする。
【００１２】
【発明の実施の形態】
以下、図面を参照して本発明の実施の形態を説明する。
【００１３】
図１に本実施の形態における画像形成システムのネットワークの全体構成を示す。
【００１４】
１００１はデジタル複合機であり、後述するスキャナとプリンタから構成される。デジタル複合機１００１は、スキャナから読み込んだ画像をローカルエリアネットワーク１０１０（以下ＬＡＮ１０１０）へ送信したり、ＬＡＮ１０１０から受信した画像をプリンタによりプリントアウトすることができる。また、図示しないＦＡＸ送信手段により、スキャナから読んだ画像をＰＳＴＮまたはＩＳＤＮ１０３０へ送信したり、ＰＳＴＮまたはＩＳＤＮ１０３０から受信した画像をプリンタによりプリントアウトすることができる。
【００１５】
１００２は、データベースサーバで、デジタル複合機１００１により読み込んだ２値画像及び多値画像をデータベースとして管理する。１００３は、データベースサーバ１００２のデータベースクライアントで、データベース１００２に保存されている画像データの閲覧／検索等を行うことができる。
【００１６】
１００４は、電子メールサーバで、デジタル複合機１００１により読み取った画像を電子メールの添付として受け取ることができる。１００５は、電子メールのクライアントで、電子メールサーバ１００４の受け取ったメールを受信し閲覧したり、電子メールを送信したりすることができる。１００６はＨＴＭＬ文書をＬＡＮ１０１０に提供するＷＷＷサーバで、デジタル複合機１００１によりＷＷＷサーバ１００６で提供されるＨＴＭＬ文書をプリントアウトできる。ＤＮＳサーバ１００７は、ホスト名とＩＰアドレスの対応関係を記述したデータベースを管理しており、クライアントからの要求に応じて、ホスト名からそのＩＰアドレスを参照できるようにする。
【００１７】
１０１１は、ルータでＬＡＮ１０１０をインターネット／イントラネット１０１２と連結する。インターネット／イントラネットに、前述したデータベースサーバ１００２、ＷＷＷサーバ１００６、電子メールサーバ１００４、デジタル複合機１００１と同様の装置が、１０２０、１０２１、１０２２、１０２３として連結している。一方、デジタル複合機１００１は、ＰＳＴＮまたはＩＳＤＮ１０３０を介して、ＦＡＸ装置１０３１とデータの送受信が可能となっている。また、ＬＡＮ１０１０上にプリンタ１０４０も連結されており、デジタル複合機１００１により読み取った画像をプリントアウト可能なように構成されている。
【００１８】
次に、デジタル複合機１００１のハードウェア全体構成図を図２に示す。コントローラユニット２０００は画像入力デバイスであるスキャナ２０７０や画像出力デバイスであるプリンタ２０９５と接続し、一方ではＬＡＮ２０１１や公衆回線（ＷＡＮ）２０５１接続することで、画像情報やデバイス情報の入出力を行う。
【００１９】
ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。
【００２０】
操作部Ｉ／Ｆ２００６は操作部２０１２とのインターフェース部で、操作部２０１２に表示する画像データを操作部２０１２に対して出力する。また、操作部２０１２から本システム使用者が入力した情報を、ＣＰＵ２００１に伝える役割をする。ネットワーク２０１０はＬＡＮ２０１１に接続し、情報の入出力を行う。モデム２０５０は公衆回線２０５１に接続し、情報の入出力を行う。以上のデバイスがシステムバス２００７上に配置される。
【００２１】
イメージバスＩ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ＲＩＰ（ラスターイメージプロセッサ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。
【００２２】
スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００２３】
次に、デジタル複合機１００１を構成する画像入出力デバイスを図３に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え、原稿フィーダ２０７２は原稿用紙を１枚ずつフィードし原稿画像の読み取り動作を行う。
【００２４】
また、原稿フィーダ２０７２には、後述する自動用紙選択モードを実現するために必要な原稿サイズ検知センサ（図示せず）が設置されており、セットされた原稿のサイズを検知することができる。
【００２５】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００２６】
次に、操作部２０１２の構成を図４に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００２７】
次に、スキャナ画像処理部２０８０の構成を図５に示す。画像バスＩ／Ｆコントローラ２０８１は、画像バス２００８と接続し、そのバスアクセスシーケンスを制御する働きと、スキャナ画像処理部２０８０内の各デバイスの制御及びタイミングを発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するために、行うテーブル変換である。２値化２０８６は、多値のグレースケール画像データを、誤差拡散処理やスクリーン処理によって２値化する。処理が終了した画像データは、再び画像バスコントローラ２０８１を介して、画像バス上に転送される。
【００２８】
次に、プリンタ画像処理部２０９０の構成を図６に示す。画像バスＩ／Ｆコントローラ２０９１は、画像バス２００８と接続し、そのバスアクセスシーケンスを制御する働きと、スキャナ画像処理部２０９０内の各デバイスの制御及びタイミングを発生させる。解像度変換部２０９２は、ネットワーク２０１１あるいは公衆回線２０５１から来た画像データを、プリンタ２０９５の解像度に変換するための解像度変換を行う。スムージング処理部２０９３は、解像度変換後の画像データのジャギー（斜め線等の白黒境界部に現れる画像のがさつき）を滑らかにする処理を行う。
【００２９】
次に、画像圧縮部２０４０の構成を図７に示す。画像バスＩ／Ｆコントローラ２０４１は、画像バス２００８と接続し、そのバスアクセスシーケンスを制御する働き、入力バッファ２０４２・出力バッファ２０４５とのデータのやりとりを行うためのタイミング制御及び、画像圧縮部２０４３に対するモード設定などの制御を行う。以下に画像圧縮処理部２０４０の処理手順を示す。
【００３０】
画像バス２００８を介して、ＣＰＵ２００１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定（たとえばＭＭＲ圧縮・ＪＢＩＧ伸長等の）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０４１はＲＡＭ２００２もしくは画像バス２００８上の各デバイスから画像データの転送を開始する。受け取った画像データは入力バッファ２０４２に一時格納され、画像圧縮部２０４３の画像データ要求に応じて一定のスピードで画像を転送する。この際、入力バッファは画像バスＩ／Ｆコントローラ２０４１と、画像圧縮部２０４３両者の間で、画像データを転送できるかどうかを判断し、画像バス２００８からの画像データの読み込み及び、画像圧縮部２０４３への画像の書き込みが不可能である場合は、データの転送を行わないような制御を行う（以後このような制御をハンドシェークと呼称する）。画像圧縮部２０４３は受け取った画像データを、一旦ＲＡＭ２０４４に格納する。これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸長）された画像データをＲＡＭ２００２もしくは画像バス２００８上の各デバイスにデータを転送する。こうした一連の処理は、ＣＰＵ２００１からの処理要求が無くなるまで（必要なページ数の処理が終わったとき）、もしくはこの画像圧縮部から停止要求が出るまで（圧縮及び伸長時のエラー発生時等）繰り返される。
【００３１】
次に、画像回転部２０３０の構成を図８に示す。画像バスＩ／Ｆコントローラ２０３１は、画像バス２００８と接続し、そのバスシーケンスを制御する働き、画像回転部２０３２にモード等を設定する制御及び、画像回転部２０３２に画像データを転送するためのタイミング制御を行う。以下に画像回転部の処理手順を示す。
【００３２】
画像バス２００８を介して、ＣＰＵ２００１から画像バスＩ／Ｆコントローラ２０３１に画像回転制御のための設定を行う。この設定により画像バスＩ／Ｆコントローラ２０４１は画像回転部２０３２に対して画像回転に必要な設定（たとえば画像サイズや回転方向・角度等）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは３２ｂｉｔをそのサイズとし回転を行う画像サイズを３２×３２（ｂｉｔ）とし、又、画像バス２００８上に画像データを転送させる際に３２ｂｉｔを単位とする画像転送を行うものとする（扱う画像は２値を想定する）。
【００３３】
上述のように、３２×３２（ｂｉｔ）の画像を得るためには、図９に示す様に上述の単位データ転送を３２回行う必要があり、且つ不連続なアドレスから画像データを転送する必要がある。
【００３４】
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１０のようにＹ方向に書き込んでいく。読み出し時にＸ方向に読み出すことで、画像が回転される。
【００３５】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。回転処理された画像データを受け取った画像バスＩ／Ｆコントローラ２０３１は、連続アドレッシングを以て、 ＲＡＭ２００２もしくは画像バス２００８上の各デバイスにデータを転送する。
【００３６】
こうした一連の処理は、 ＣＰＵ２００１からの処理要求が無くなるまで（必要なページ数の処理が終わったとき）繰り返される。
【００３７】
次に、デバイスＩ／Ｆ部２０２０の構成を図１１に示す。画像バスＩ／Ｆコントローラ２０２１は、画像バス２００８と接続し、そのバスアクセスシーケンスを制御する働きと、デバイスＩ／Ｆ部２０２０内の各デバイスの制御及びタイミングを発生させる。また、外部のスキャナ２０７０及びプリンタ２０９５への制御信号を発生させる。スキャンバッファ２０２２は、スキャナ２０７０から送られてくる画像データを一時保存し、画像バス２００８に同期させて画像データを出力する。シリアルパラレル・パラレルシリアル変換２０２３は、スキャンバッファ２０２２に保存された画像データを順番に並べて、あるいは分解して、画像バス２００８に転送できる画像データのデータ幅に変換する。パラレルシリアル・シリアルパラレル変換２０２４は、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、プリンタ２０９５に同期させて画像データを出力する。
【００３８】
次に、デバイスＩ／Ｆ２０２０の画像スキャン時の処理手順を以下に示す。まず、スキャナ２０７０から送られてくる画像データをスキャナ２０７０から送られてくるタイミング信号に同期させて、スキャンバッファ２０２２に保存する。
【００３９】
そして、画像バス２００８がＰＣＩバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス２００８上に転送する。また、画像バス２００８がＩＥＥＥ１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス２００８上に転送する。
【００４０】
次に、デバイスＩ／Ｆ２０２０の画像プリント時の処理手順を以下に示す。画像バス２００８がＰＣＩバスの場合には、画像バスから送られてくる３２ビットの画像データを画像バスＩ／Ｆコントローラ２０２１で受け取り、パラレルシリアル・シリアルパラレル変換２０２４に送り、プリンタ２０９５の入力データビット数の画像データに分解し、プリントバッファ２０２５に保存する。また、画像バス２００８がＩＥＥＥ１３９４の場合には、画像バスからおくられてくるシリアル画像データを画像バスＩ／Ｆコントローラで受け取り、パラレルシリアル・シリアルパラレル変換２０２４に送り、プリンタ２０９５の入力データビット数の画像データに変換し、プリントバッファ２０２５に保存する。そして、プリンタ２０９５から送られてくるタイミング信号に同期させて、バッファ内の画像データを先入れ先出しで、プリンタ２０９５に送る。
【００４１】
次に、デジタル複合機１００１において動作するソフトウェアの全体構成を図１２のソフトウエアブロック図を用いて説明する。
【００４２】
１５０１はユーザインターフェイス（UI）を司るものであり、オペレータが本複合機の各種操作・設定を行う際、機器との仲介を行うモジュールである。ユーザインターフェイス１５０１は、オペレータの操作に従い、後述の各種モジュールに入力情報を転送し処理の依頼、或いはデータの設定等を行う。
【００４３】
１５０２はアドレスブック（Address-Book）であり、データの送付先、通信先等を管理するデータベースモジュールである。アドレスブック１５０２の内容は、ユーザインターフェイス１５０１からの操作によりデータの追加、削除、取得が行われ、オペレータの操作により後述の各モジュールにデータの送付・通信先情報を与えるものとして使用される。
【００４４】
１５０３はウェブサーバ（Web-Server）モジュールであり、図外のＷｅｂクライアントからの要求により、デジタル複合機１００１の管理情報を通知するために使用される。管理情報は、後述のＡＰＩ制御部（Control-API）１５１８を介して読み取られ、後述のＨＴＴＰ１５１２、ＴＣＰ／ＩＰ１５１６、ネットワークドライバ（Network−Driver）１５１７を介してＷｅｂクライアントに通知される。
【００４５】
１５０４は同報配信（Universal-Send）であり、データの配信を司るモジュールであり、ユーザインターフェイス１５０１によりオペレータに指示されたデータを、同様に指示された通信（出力）先に配布するものである。また、オペレータにより、本機器のスキャナ機能を使用し配布データの生成が指示された場合は、後述のＡＰＩ制御部１５１８を介して機器を動作させ、データの生成を行う。
【００４６】
１５０５は同報配信１５０４内で出力先にプリンタが指定された際に実行されるモジュール、Ｐ５５０である。
【００４７】
１５０６は同報配信１５０４内で通信先にＥ−ｍａｉｌアドレスが指定された際に実行されるモジュール、Ｅメールである。
【００４８】
１５０７は同報配信１５０４内で出力先にデータベースが指定された際に実行されるモジュール、ＤＢである。
【００４９】
１５０８は同報配信１５０４内で出力先に本機器と同様のデジタル複合機が指定された際に実行されるモジュール、ＤＰである。
【００５０】
１５０９はリモートコピースキャン（Remote-Copy-Scan）モジュールであり、デジタル複合機１００１のスキャナ機能を使用し、ネットワーク等で接続された他のデジタル複合機を出力先とし、デジタル複合機１００１単体で実現しているコピー機能と同等の処理を行うモジュールである。
【００５１】
１５１０はリモートコピープリント（Remote-Copy-Print）モジュールであり、デジタル複合機１００１のプリンタ機能を使用し、ネットワーク等で接続された他の複合機を入力先とし、デジタル複合機１００１で実現しているコピー機能と同等の処理を行うモジュールである。
【００５２】
１５１１はウェブプルプリント（Web-Pull-Print）モジュールであり、インターネットまたはイントラネット上の各種ホームページの情報を読み出し、印刷するモジュールである。
【００５３】
１５１２はデジタル複合機１００１がＨＴＴＰにより通信する際に使用されるモジュールであり、後述のＴＣＰ／ＩＰ１５１６モジュールにより前述のウェブサーバ１５０３、ウェブプルプリント１５１１モジュールに通信を提供するものである。
【００５４】
１５１３はｌｐｒモジュールであり、後述のＴＣＰ／ＩＰ１５１６モジュールにより前述の同報配信１５０４内のプリンタモジュール１５０５に通信を提供するものである。
【００５５】
１５１４はＳＭＴＰモジュールであり、後述のＴＣＰ／ＩＰ１５１６モジュールにより前述の同報配信１５０４内のＥメールモジュール１５０６に通信を提供するものである。
【００５６】
１５１５はＳＬＭ（Salutation-Manager）モジュールであり、後述のＴＣＰ／ＩＰ１５１６モジュールにより前述の同報配信１５０４内のデータベースモジュール１５１７、ＤＰモジュール１５１８、及びリモートコピースキャン１５０９モジュール、リモートコピープリント１５１０モジュールに通信を提供するものである。
【００５７】
１５１６はＴＣＰ／ＩＰ通信モジュールであり、前述の各種モジュールに後述のネットワークドライバ１５１７によりネットワーク通信を提供するものである。
【００５８】
１５１７はネットワークドライバであり、ネットワークに物理的に接続される部分を制御するものである。
【００５９】
１５１８はＡＰＩ制御部であり、同報配信１５０４等の上流モジュールに対し、後述のジョブマネージャ（Job-Manager）１５１９等の下流モジュールとのインターフェイスを提供するものであり、上流、及び下流のモジュール間の依存関係を軽減しそれぞれの流用性を高めるものである。
【００６０】
１５１９はジョブマネージャ（Job-Manager）であり、前述の各種モジュールよりＡＰＩ制御部１５１８を介して指示される処理を解釈し、後述の各モジュールに指示を与えるものである。また、本モジュールは、デジタル複合機１００１内で実行されるハード的な処理を一元管理するものである。
【００６１】
１５２０はコーデックマネージャ（CODEC-Manager）であり、ジョブマネージャ１５１９が指示する処理の中でデータの各種圧縮・伸長を管理・制御するものである。
【００６２】
１５２１はＦＢＥエンコーダ（FBE-Encoder）であり、ジョブマネージャ１５１９、スキャンマネージャ（Scan-Manager）１５２４により実行されるスキャン処理により読み込まれたデータをＦＢＥフォーマットにより圧縮するものである。
【００６３】
１５２２はＪＰＥＧコーデック（JPEG-CODEC）であり、ジョブマネージャ１５１９、スキャンマネージャ１５２４により実行されるスキャン処理、及びプリントマネージャ（Print-Manager）１５２６により実行される印刷処理において、読み込まれたデータのＪＰＥＧ圧縮及び印刷データのＪＰＥＧ展開処理を行うものである。
【００６４】
１５２３はＭＭＲコーデック（MMR-CODEC）であり、ジョブマネージャ１５１９、スキャンマネージャ１５２４により実行されるスキャン処理、及びプリントマネージャ１５２６により実行される印刷処理において、読み込まれたデータのＭＭＲ圧縮及び印刷データのＭＭＲ伸長処理を行うものである。
【００６５】
１５２４はスキャンマネージャ（Scan-Manager）であり、ジョブマネージャ１５１９が指示するスキャン処理を管理・制御するものである。
【００６６】
１５２５はＳＣＳＩドライバであり、スキャンマネージャ１５２４とデジタル複合機１００１が内部的に接続しているスキャナ部との通信を行うものである。
【００６７】
１５２６はプリントマネージャ（Print-Manager）であり、ジョブマネージャ１５１９が指示する印刷処理を管理・制御するものである。
【００６８】
１５２７はエンジンインターフェイス（Engine-Ｉ／Ｆ）ドライバであり、プリントマネージャ１５２６と印刷部とのＩ／Ｆを提供するものである。
【００６９】
１５２８はパラレルポートドライバであり、ウェブプルプリント１５１１がパラレルポートを介して図外の出力機器にデータを出力する際のＩ／Ｆを提供するものである。
【００７０】
以下、本発明の組み込みアプリケーションの実施の形態について図面を用いて説明する。
【００７１】
図１３は、本実施の形態における画像の配信に関する組み込みアプリケーションブロックを表すものである。
【００７２】
４０５０は、図１２で説明した本実施の形態の操作部のＵＩ（User Interface）アプリケーションを示すブロックである。４１００は、リモートコピーアプリケーションの送信側を示すブロック図である。４１５０は、同報配信（Universal Send）の送信側を示すブロック図である。４２００は、ウェブプルプリント（Web Pull Print）モジュールを示すブロック図である。４２５０は、ウェブサーバ（Web Server）モジュールを示すブロック図である。
【００７３】
４３００は、リモートコピーの受信側（プリント側）を示すブロック図である。４３５０は、同報配信で送信されてきたイメージを汎用のプリンタで受信・プリントするブロック図である。４４００は、リモートプリントの受信側（プリント側）を示すブロック図である。４４５０は、同報配信で送信されてきたイメージを公知のノーツサーバ（Notes Server）で受信・格納するブロック図である。
【００７４】
４５００は、同報配信で送信されてきたイメージを２値のイメージを受信・格納するブロック図である。４５５０は、同報配信で送信されてきたイメージを公知のメールサーバ（Mail Server）で受信・格納するブロック図である。４６００は、同報配信で送信されてきたイメージを多値のイメージを受信・格納するブロック図である。４６５０は、情報コンテンツを含んだ、公知のウェブサーバ（Web Server）を示す図である。４７００は、本発明のウェブサーバなどにアクセスする公知のウェブブラウザ（Web Browser）を示す図である。以下、それぞれのブロックに照らし合わせながら、アプリケーション群の説明を詳細に行う。
【００７５】
まず、ＵＩ（User Interface）アプリケーション４０５０について説明する。４０５０ブロックに示したＵＩの詳細は、前記したとおりであるが、ここでは、４０５１のアドレズブック（Address Book）について説明する。アドレスブック４０５１は、デジタル複合機１００１内の不揮発性の記憶装置（不揮発性メモリやハードディスクなど）に保存されており、この中には、ネットワークに接続された機器の特徴が記載されている。例えば、以下に列挙するようなものが含まれている。
（ａ）機器の正式名やエイリアス名
（ｂ）機器のネットワークアドレス
（ｃ）機器の処理可能なネットワークプロトコル
（ｄ）機器の処理可能なドキュメントフォーマット
（ｅ）機器の処理可能な圧縮タイプ
（ｆ）機器の処理可能なイメージ解像度
（ｇ）プリンタ機器の場合の給紙可能な紙サイズ、給紙段情報
（ｈ）サーバ（コンピュータ）機器の場合のドキュメントを格納可能なフォルダ名
さらに、リモートコピーアプリケーション４１００、同報配信アプリケーション４１５０、ウェブサーバアプリケーション４２５０、ウェブプルプリントアプリケーション４２００は、アドレスブック４０５１に記載された情報により配信先の特徴を判別することが可能となる。また、アドレスブック４０５１は、編集可能であると共に、ネットワーク内のサーバコンピュータなどに保存されているものをダウンロードして使用する、または、直接参照することも可能である。上述の各アプリケーションについて詳細に説明する。
【００７６】
リモートコピーアプリケーション４１００は、配信先に指定された機器の処理可能な解像度情報をアドレスブック４０５１より判別し、それに従い、スキャナにより読みとった画像２値画像を公知のＭＭＲ圧縮を用いて圧縮し、それを公知のＴＩＦＦ（Tagged Image File Format）化し、ＳＬＭ４１０３に通して、ネットワーク上のプリンタ機器に送信する。ＳＬＭ４１０３とは、詳細には説明しないが、公知のサルテーションマネージャ（Salutation Manager）と呼ばれる機器制御情報などを含んだネットワークプロトコルの一種であり、スマートリンクマネージャ（Smart Link Manager）とも呼ばれる。
【００７７】
同報配信アプリケーション４１５０は、リモートコピーアプリケーション４１００と違い、一度の画像走査で複数の配信宛先に画像を送信する事が可能である。また、配信先もプリンタ機器にとどまらず、いわゆるサーバコンピュータにも直接配信可能である。以下、配信先に従って順に説明する。
【００７８】
配信先の機器が公知のネットワークプリンタプロトコルであるＬＰＤ（Line Printer Daemon）、プリンタ制御コマンドとして公知のＬＩＰＳを処理可能だとアドレスブック４０５１より判別した場合、同様にアドレスブック４０５１より判別した画像解像度に従って画像読み取りを行い、画像自体は、本実施の形態では、公知のＦＢＥ（First Binari Encoding）を用いて圧縮し、さらにＬＩＰＳコード化して、公知のネットワークプリンタプロトコルであるＬＰＲで相手機器に送信する。
【００７９】
配信先の機器が前記ＳＬＭで通信可能で、サーバ機器の場合、アドレスブック４０５１より、サーバーアドレス、サーバ内のフォルダの指定を判別し、リモートコピーアプリケーション４１００と同様に、スキャナにより読み取った２値画像を公知のＭＭＲ圧縮を用いて圧縮し、それを公知のＴＩＦＦ（Tagged Image File Format）化し、ＳＬＭを通して、ネットワーク上のサーバ機器の特定のフォルダに格納する事が可能である。
【００８０】
また、デジタル複合機１００１では、相手機器であるサーバが公知のＪＰＥＧ圧縮された多値画像を処理可能だと判別した場合、前記の２値画像と同様に多値読み取りした画像を公知のＪＰＥＧ圧縮を用いて、やはり公知のＪＦＩＦ化し、ＳＬＭを通して、ネットワーク上のサーバ機器の特定のフォルダに格納する事が可能である。
【００８１】
配信先の機器が公知のＥ−ｍａｉｌサーバーである場合、アドレスブック４０５１に記載されたメールアドレスを判別し、スキャナにより読み取った画像２値画像を公知のＭＭＲ圧縮を用いて圧縮し、それを公知のＴＩＦＦ（Tagged Image File Format）し、公知のＳＭＴＰ（Simple Mail Transfer Protcol）４１５３を使用して、Ｅ−ｍａｉｌサーバーに送信する。その後の配信は、メールサーバ４５５０に従って実行される。
【００８２】
ウェブプルプリントアプリケーション４２００は、インターネットあるいはイントラネット上の各種ホームページの情報を読み出し、印刷する。
【００８３】
ウェブサーバアプリケーション４２５０はウェブクライアントからの要求に応じて、ウェブクライアントの自装置の管理情報を通知する。
【００８４】
次に、デジタル複合機１００１を含み、本発明の特徴でもある重連コピーが実行される画像形成システムを図１４に示す。図１４における画像形成システムは、上述のデジタル複合機１００１の他に、プリンタ２９０２、プリンタ２９０３で構成され、デジタル複合機１００１は、ローカルエリアネットワーク１０１０を介して接続され、通信可能である。
【００８５】
デジタル複合機１００１は、複写における最適用紙サイズを選択するための動作モードである自動用紙選択モードが設定可能である。
【００８６】
ここで、自動用紙選択モードによるデジタル複合機の動作を簡単に説明する。まず、スキャナ２０７０において、オートフィーダ２０７３に設置された原稿サイズ検知センサが原稿サイズを検知する。そして検知された原稿サイズと複写倍率から画像サイズを決定する。さらに、デジタル複合機が備える給紙カセット段２１０１〜２１０４から画像サイズに最も適したサイズの複写用紙格納する給紙カセットを選択することにより、最適用紙サイズが選択される。自動用紙選択モードを用いて最適用紙サイズを選択することにより、ユーザーによる用紙サイズの設定等を簡易的に行うことができる。
【００８７】
プリンタ２９０２及びプリンタ２９０３は、それぞれ画像をプリントアウトするための用紙を給紙するための給紙カセット段２９０５、２９０６を備えている。
【００８８】
まず、ネットワーク上にある複数の画像入出力機器の情報を獲得する方法を説明する。デジタル複合機１００１の電源を入れると、初期ルーチンの中でネットワーク１０１０上につながり、機器情報の獲得制御をＣＰＵ２００１が行う。獲得した機器情報は、ＲＡＭ２００２に記憶する。獲得した機器情報を図１５に示す。
【００８９】
図１５において、Ｎｏ．１はローカルプリンタ２０９５（以下プリンタ１）であり、モノクロ、両面コピー可能、給紙段には順にＡ４、Ａ４、Ｂ４、Ａ３サイズの給紙カセットがあり、ステープル有り、パフォーマンスは６０ページ／分であることを示している。同様に最初に検索されたＮｏ．２のリモートプリンタ２９０２（以下プリンタ２）はカラー、両面プリント不可、給紙段は順にＡ４、Ｂ４、３０ページ／分、Ｎｏ．３のプリンタ２９０３（以下プリンタ３）はモノクロ、両面プリント不可、給紙段は順に  Ａ４、Ａ３  、ステープル有り、６０ページ／分であることを示している。
【００９０】
次に、図１４に示す画像形成システムにおいて、ネットワークを介した自動用紙選択を伴う重連コピーを実行した場合の動作手順を図１６に示すフローチャートを用いて説明する。なお、図１６に示す処理手順は、プリンタ１（デジタル複合機１００１）のＣＰＵ２００１により制御される。
【００９１】
まず、ネットワーク１０１０上にある複数のプリンタと、ローカルプリンタの中から、重連コピーを行うプリンタを選択する。ここでは例としてプリンタ１とプリンタ２を用いて重連コピーを行うとする。ユーザーはオートフィーダー２０７３にＡ４サイズ原稿をセットし、スキャナ２０７０上の操作部から自動用紙モード、等倍モードを設定する。そして、操作者によるスタートボタン押下に応じて、入力された設定情報に基づき、重連コピーモード、自動用紙選択モードでのコピーを開始する（Ｓ１６０１）。
【００９２】
コピー開始の指示があると、オートフィーダーから原稿が送り込まれ、原稿サイズＡ４が認識される。次に、ステップＳ２６０２に進み、認識された原稿サイズと設定されたモードにより最適な画像サイズを算定する。この場合、原稿がＡ４で、等倍モードであるためＡ４と求められる（Ｓ１６０２）。
【００９３】
次に、機器情報獲得で得たデータから選択したリモートプリンタのプリンタ２の給紙段情報を獲得する（Ｓ１６０３）。ここで、各プリンタの給紙段情報は図１７のようになっている。プリンタ１（プリンタ２９０５）の給紙段には、給紙段１段目にＡ４サイズ、普通紙、２段目がＡ４サイズ、色紙、３段目がＢ４サイズ、普通紙、４段目がＡ３サイズ、普通紙が収容されている。プリンタ２（プリンタ２９０２）の給紙段には、１段目にＡ４サイズ、普通紙、２段目にＢ４サイズ普通紙が収容されている。プリンタ３（プリンタ２９０３）の給紙段には、１段目にＡ４サイズ、厚紙、２段目はＡ３サイズ、普通紙が収容されている。選択したプリンタ２（プリンタ２９０２）には、１段目にＡ４サイズで普通紙、２段目にＢ４サイズで普通紙、があることが判断できる。
【００９４】
次に、プリンタ１とプリンタ２に共通な用紙サイズを判定する（Ｓ１６０４）。プリンタ１には、Ａ４、Ｂ４、Ａ３サイズがあるため、共通な用紙サイズはＡ４とＢ４である。
【００９５】
次に、ステップＳ１６０４で求めた共通用紙サイズのなかに、ステップＳ１６０２で求めた最適画像サイズの原稿を出力するための最適用紙サイズがあるか否かを判定する（Ｓ１６０５）。ここで、共通な用紙サイズがＡ４とＢ４であり、最適画像サイズがＡ４であるので、最適用紙サイズＡ４があると判定する。
【００９６】
そして、プリンタ１、プリンタ２に用紙サイズＡ４を用いてプリントすることを指示し、プリント動作を開始する（Ｓ１６０６）。プリンタ１では、プリンタ２のＡ４用紙が普通紙であることを考慮して、１段目のカセット給紙段から給紙してプリントを行うと同時に、プリンタ２に対して読み込んだＡ４サイズの画像をネットワークを介して送信する。プリンタ２では、その画像を受信すると、画像サイズがＡ４であることから、給紙カセット１段目を選択してプリントを行う。
【００９７】
次に、プリント１、プリント２を用いて重連コピーをするときに、原稿Ａ３、等倍、自動用紙モードでコピーするときについて説明する。このときは、ステップＳ１６０２で最適サイズＡ３と判断され、Ｓ１６０４で、プリンタ１、２に共通な用紙サイズは、Ａ４とＢ４と判断される。そして、この中から最適用紙サイズ候補を決定する。
【００９８】
したがって、ステップＳ１６０５においては、最適画像サイズＡ３に対して、プリンタ１にはＡ３サイズの用紙があるが、プリンタ２にはこのサイズの用紙がないため、最適用紙サイズがないと判断する。
【００９９】
この場合は、図１８のように、プリンタ２に最適サイズであるＡ３が存在しないことと、次候補としてＢ４サイズの用紙があることを表示する（Ｓ１６０７）。ユーザーはプリンタ２にＡ３を補給したことを確認してスタートをやり直すか、用紙サイズがＢ４でも構わない場合は、タッチパネル上のＢ４を選択して、この選択を受けて、重連コピーを再スタートするようにしてもよい。
【０１００】
Ｂ４サイズを選択して再スタートした場合は、ローカルプリンタ１では、Ｂ４サイズがある３段目のカセット給紙段から給紙してプリントを行うと同時に、プリンタ２に対して読み込んだＡ３サイズの画像を用紙Ｂ４に指定して、ネットワークを介して送信する。プリンタ２では、その画像を受信すると、用紙Ｂ４指定であることから、給紙カセット２段目を選択してプリントを行う。
【０１０１】
以上説明してきたように、本実施の形態では、自動用紙選択モードを選択して重連コピーを行う場合、取得したリモートプリンタの給紙段の情報に基づき、リモートプリンタの給紙段と、ローカルプリンタが備える給紙段が共通に収容する用紙サイズを判定し、判定された共通用紙サイズの中に、自動用紙選択モードにより求めた画像サイズに一致するものがあるか否かを判定し、判定結果に基づき重連コピーを制御するようにした。
【０１０２】
これにより、確実かつ容易に画像サイズと用紙サイズを一致させることが可能となるので、自動用紙選択モードで重連コピーを行うときの操作性、機能性を向上させることができる。
【０１０３】
また、共通シートサイズの中に、求めた画像サイズに一致するものがないと判定された場合、操作部にその旨を表示するようにしたので、エラー時の対応を容易にし、システムの停止時間を削減することができる。
【０１０４】
また、エラー時において、次候補の共通用紙サイズを表示し、そのサイズを選択する旨の操作入力に応じて、次候補の共通用紙サイズの用紙を用いて重連コピーを行うようにしたので、エラー時においても、共通な用紙サイズを用いた出力結果を確実に得ることができる。
【０１０５】
本実施形態では、画像形成装置として、ローカルプリンタとしてデジタル複合機、リモートプリンタとしてプリンタ単体を用いた例を説明したが、本発明はこれに限るものではなく、ファクシミリ装置等、他の種類の画像形成装置、及びそれらの組み合わせによっても実施可能であることは言うまでもない。
【０１０６】
また、重連コピーとしては、２台に限ったものではなく、３台、もしくはそれ以上の台数を用いた場合においても、本発明を適用可能であることは言うまでもない。
【０１０７】
【発明の効果】
以上説明してきたように、本発明によれば、取得した他の画像形成装置の給紙段の情報に基づき、他の画像形成装置の給紙段と自装置が備える給紙段が共通に収容するシートサイズを判定し、判定された共通シートサイズの中に、算定した入力画像の画像サイズに一致するものがあるか否かを判定し、判定結果に基づき他の画像形成装置及び自装置における入力画像の画像形成を制御することにより、生産性を低下させることなく重連コピー時の操作性、機能性が向上するという効果がある。
【図面の簡単な説明】
【図１】本発明の実施の形態における画像形成システムのネットワークの全体構成を示す図である。
【図２】デジタル複合機１００１のハードウェア全体構成を表す図である。
【図３】デジタル複合機１００１を構成する画像入出力デバイスを表す図である。
【図４】操作部２０１２の構成を示す図である。
【図５】スキャナ画像処理部２０８０の構成を示す図である。
【図６】プリンタ画像処理部２０９０の構成を示す図である。
【図７】画像圧縮部２０４０の構成を示す図である。
【図８】画像回転部２０３０の構成を示す図である。
【図９】画像回転に関するデータ転送を示す図である。
【図１０】画像回転に関するデータの読み出し及び書き込みを説明する図である。
【図１１】デバイスＩ／Ｆ部２０２０の構成を示す図である。
【図１２】ソフトウェアの全体構成を示すソフトウエアブロック図である。
【図１３】画像の配信に関する組み込みアプリケーションブロックを表す図である。
【図１４】本実施の形態においてリモートコピーが実行される画像形成システムを説明する図である。
【図１５】獲得した各機器情報の例を説明する図である。
【図１６】自動用紙選択を伴う重連コピーを実行した場合の動作手順を示すフローチャートである。
【図１７】獲得した各機器の給紙段情報の例を説明する図である。
【図１８】最適用紙サイズが存在しなかったときの表示画面を示す図である。
【符号の説明】
１００１  デジタル複合機
１０１０  ローカルエリアネットワーク
２０１３  ＬＣＤディスプレイ
２０７０  スキャナ部
２０７２  原稿フィーダ
２０７３  トレイ
２０９５  プリンタ部
２９０２  リモートプリンタ（プリンタ１）
２９０３  リモートプリンタ（プリンタ２）
【図１】
0003706812.tif 000002
【図２】
0003706812.tif 000003
【図３】
0003706812.tif 000004
【図４】
0003706812.tif 000005
【図５】
0003706812.tif 000006
【図６】
0003706812.tif 000007
【図７】
0003706812.tif 000008
【図８】
0003706812.tif 000009
【図９】
0003706812.tif 000010
【図１０】
0003706812.tif 000011
【図１１】
0003706812.tif 000012
【図１２】
0003706812.tif 000013
【図１３】
0003706812.tif 000014
【図１４】
0003706812.tif 000015
【図１５】
0003706812.tif 000016
【図１６】
0003706812.tif 000017
【図１７】
0003706812.tif 000018
【図１８】
0003706812.tif 000019